(57)【要約】【課題】  従来は、板状の食材にカット線等の切離し手段で、切離した食材パーツで、動植物、建物、人形、家具、車輌等を組立て・分解し、この組立てで情操教育、頭脳の活性化と、老化防止等と、また、頭の働きとしての啓蒙道具と、又は趣味感の達成と、心身のリフレッシュと、疲労回復等に寄与する食材玩具の構造である。【構成】  本発明は、板素材を加工した生物玩具で、生物玩具の骨格は、長手方向の支持体パーツと、生物玩具の体格は、短手方向の体格片パーツで構成し、支持体パーツの第一差込み側には、略同じ深さの複数個の第一切欠き部を形成し、また体格片パーツの第二差込み側には、不均等な深さの複数個の第二切欠き部を形成し、第一切欠き部に対し第二切欠き部を差込み支持し、体格片パーツで、生物玩具の胴体の膨らみを表現する生物玩具の組付け構造である。【選択図】      図１
2010162079.tif 000002
【特許請求の範囲】
【請求項１】
鋼材、板材、又はプラスチック等の板素材を加工して形成する生物玩具であり、この生物玩具の骨格は、板素材を加工した長手方向の支持体パーツで構成し、またこの生物玩具の体格は、板素材を加工した短手方向の体格片パーツで構成したことを特徴とし、
この支持体パーツの第一差込み側には、上端から中間部位に向かって、略同じ深さの複数個の第一切欠き部を形成し、またこの体格片パーツの第二差込み側には、下端から上端に向かって、不均等な深さの複数個の第二切欠き部を形成し、
前記複数個の第一切欠き部に対して、前記複数個の第二切欠き部を差込み支持することで、この体格片パーツで、前記生物玩具の胴体の膨らみを表現する構成とした生物玩具の組付け構造。
【請求項２】
請求項１に記載の生物玩具の組付け構造であって、
前記生物玩具の支持体パーツの第一切欠き部が、この生物玩具の頭部位から尻部位に向かって、略均等な間隔を保持することで、前記胴体の膨らみを、写実的に表現する構成とした生物玩具の組付け構造。
【請求項３】
請求項１に記載の生物玩具の組付け構造であって、
前記生物玩具の体格片パーツの第二切欠き部は、下端から上端に向かって、拡開した形状とし、前記支持体パーツに差込み支持した状態で、前記体格片パーツが、この支持体パーツに、確実に挾持された状態が確保される構成とした生物玩具の組付け構造。
【請求項４】
請求項１に記載の生物玩具の組付け構造であって、
前記生物玩具の支持体パーツの第一切欠き部の一辺側の下部に、突起を形成し、この突起には、前記第一切欠き部に差込まれた体格片パーツの下端が添接される構成とした生物玩具の組付け構造。
【請求項５】
請求項１に記載の生物玩具の組付け構造であって、
前記生物玩具が擬似ねずみであって、この複数の体格片パーツの第三差込み側には、上端から中間部位に向かって、不均等な深さの第三切欠き部を形成し、この第三切欠き部に、この生物玩具の耳パーツを差込み形成する構成とした生物玩具の組付け構造。
【請求項６】
請求項１に記載の生物玩具の組付け構造であって、
前記生物玩具が擬似猪であって、この複数の体格片パーツの第四差込み側には、上端から中間部位に向かって、不均等な深さの第四切欠き部を形成し、この第四切欠き部に、この生物玩具の牙パーツ、又は足パーツを差込み形成する構成とした生物玩具の組付け構造。
【請求項７】
請求項１に記載の生物玩具の組付け構造であって、
前記生物玩具が擬似キリンであって、この複数の体格片パーツの第四差込み側には、上端から中間部位に向かって、不均等な深さの第四切欠き部を形成し、この第四切欠き部に、この生物玩具の足パーツを差込み形成し、また、この複数の体格片パーツの第五差込み側には、上端から中間部位に向かって、不均等な深さの第五切欠き部を形成し、この第五切欠き部に、この生物玩具の耳パーツを差込み形成する構成とした生物玩具の組付け構造。
【請求項８】
請求項１に記載の生物玩具の組付け構造であって、
前記生物玩具が擬似バッタであって、この複数の体格片パーツの第六差込み側には、中間側面から内部に向かって、不均等な深さの第六切欠き部を形成し、この第六切欠き部に、この生物玩具の足パーツを差込み形成する構成とした生物玩具の組付け構造。
【発明の詳細な説明】
【技術分野】
【０００１】
本発明は、鋼材、板材、又はプラスチック等の板素材を、レーザー加工して形成する生物玩具の組付け構造に関する。
【背景技術】
【０００２】
本発明に、最も近い発明として、本発明者が提案する特開２００７−２０９３１０の「切離し及び／又は組付け・分解可能な板状食材の構造」がある（文献（１）とする）。この発明は、板状の食材に切離し用のカット線、ミシン目等の切離し手段を介して、切離された食材パーツを成形可能とし、この食材パーツで、動植物、建物、人形、家具、車輌等の固形物（固形物とする）を組立て・分解（組立て等とする）し、この組立て等により、例えば、情操教育、頭脳の活性化と、老化防止等を図り、かつ頭の働きを達成するための啓蒙道具と、或いは組立て等による趣味感の達成等を図り、かつ心身のリフレッシュと、疲労回復等に寄与する構成のせんべい、ビスケット、チョコレート、飴等の板状食材の構造である。その目的は、前述した、啓蒙道具と、趣味達成、及び心身のリフレッシュと、疲労回復に寄与する等にある。
【０００３】
この文献（１）は、食材パーツを板状として集合し、切離し手段を利用し、それぞれの食材パーツに分解する所作と、この食材パーツを固形物に組立てる所作、並びに固形物を観賞する等の利点がある。しかし、この食材パーツは、レーザー加工で切断するが、食材であることから、切断端面にバリ（切残し、欠損等によるバリ）が発生し易く、嵌合凹凸がしっくり行かないことが考えられる。従って、固形物の成形時の定形性（形状）が確保されないこと、又は形状の確保は、短期間になること等の問題を抱えている。最も、食材であることを考慮すれば、この程度の形状の確保と、期間であれば、十分とも考えられる。また、一度、組立てた後の分解と、再度の組立ては、困難性が考えられる。
【０００４】
次に、実用新案登録第３０６０８３４号の「立体交差式多片組合せ玩具」がある（文献（２）とする）。この考案は、玩具の板片パーツを組合せて、玩具を構成するに際し、二枚の脚用板片パーツと、この二枚の板片パーツ間に設けた中間板片パーツ（連結手段）と、この中間板片パーツに嵌合した胴体用板片パーツで、骨格部（動物玩具の胴体）を構成し、この胴体用板片パーツに、頭部用の板片パーツを嵌合する構造である。従って、簡易に立体交差式多片組立て玩具が形成できることと、組立て状態の強度の向上が図れること等の特徴が考えられる。しかし、この文献（２）は、中間板片パーツを主体とする構造であり、写実性に欠けることと、立体交差式多片の玩具であるが、動植物の膨らみ（胴体の肉厚）に関し、十分な配慮がされていないこと等の改良点が考えられる。また、この文献（２）は、胴体用板片パーツ・中間板片パーツと、脚用板片パーツの組立て（嵌合）は、相互の溝の混合関係であり（胴体用板片パーツ・中間板片パーツ等の一部の長さの嵌合）、組付け後の定形性に問題を残している。
【０００５】
また、実用新案登録第３１２５５３１号の「組立て置物」がある（文献（３）とする）。この考案は、展開した主体部紙片パーツを組立てて主体部を構成し、同様に頭部、左右脚部と、一枚の紙片パーツで形成した左右腕部で構成し、この主体部に、各頭部、左右脚部と、左右腕部を差込み組付けて置物を構成し、写実的な恐竜の置物を提供することを意図する。しかし、この文献（３）は、紙片パーツを主体とする構造であり、写実性に欠けることと、展開した紙片パーツを組立てて、恐竜の膨らみ（胴体、頭、又は脚の肉厚）に関し、十分な配慮がされていないこと等の改良点が考えられる。
【０００６】
【特許文献１】特開２００７−２０９３１０
【特許文献２】実用新案登録第３０６０８３４号
【特許文献３】実用新案登録第３１２５５３１号
【発明の開示】
【発明が解決しようとする課題】
【０００７】
前述した文献（１）〜（３）においては、前述した、それぞれの改良点が考えられること、又は組立て後の骨格の標本の感覚を凌駕した、所謂、写実的な感覚を連想するには、更なる改良点が考えられる。
【０００８】
上記に鑑み、本発明は、次に記載した内容を意図する。
「１」  生物玩具の骨格を構成する支持体パーツと、また、生物玩具の体格を構成する体格片パーツを、確実に組付け（各組付け長さ全体の挾持関係を確保する）、生物玩具の形状の定形性の確保と、この生物玩具の型崩れを防止する。
「２」  この組付け構造を採用することで、一度の組付けで、その各切欠き部が崩れることがなく、分解及び再度の組付けも可能となる。
「３」  また、鋼材、板材、又はプラスチック等の板素材を、レーザー加工を利用し、各パーツ、及び切欠き部を成形することで、この各パーツ、及び各切欠き部の形状、加工、又は寸法等の正確性と、加工端面の正確性が確保できる。
「４」  前記「３」により、この生物玩具を、例えば、手、指等の人体で接触しても、怪我をすることなく、安全であり重宝する。
「５」  さらに、各パーツを組付ける際に、この各パーツの位置を確定するための手段を、各切欠き部の所定の箇所に形成する構成とする。
【課題を解決するための手段】
【０００９】
請求項１の発明は、本発明の上記「１」〜「４」に記載した意図を達成することにある。
【００１０】
請求項１は、鋼材、板材、又はプラスチック等の板素材を加工して形成する生物玩具であり、この生物玩具の骨格は、板素材を加工した長手方向の支持体パーツで構成し、またこの生物玩具の体格は、板素材を加工した短手方向の体格片パーツで構成したことを特徴とし、
この支持体パーツの第一差込み側には、上端から中間部位に向かって、略同じ深さの複数個の第一切欠き部を形成し、またこの体格片パーツの第二差込み側には、下端から上端に向かって、不均等な深さの複数個の第二切欠き部を形成し、
前記複数個の第一切欠き部に対して、前記複数個の第二切欠き部を差込み支持することで、この体格片パーツで、前記生物玩具の胴体の膨らみを表現する構成とした生物玩具の組付け構造である。
【００１１】
請求項２の発明は、請求項１に記載した意図を達成しつつ、かつこの意図を達成するに最適な、支持体パーツの第一切欠き部の構造を提供する。
【００１２】
請求項２は、請求項１に記載の生物玩具の組付け構造であって、
前記生物玩具の支持体パーツの第一切欠き部が、この生物玩具の頭部位から尻部位に向かって、略均等な間隔を保持することで、前記胴体の膨らみを、写実的に表現する構成とした生物玩具の組付け構造である。
【００１３】
請求項３・４の発明は、本発明の上記「１」〜「５」に記載した意図を達成することにある。
【００１４】
請求項３は、請求項１に記載の生物玩具の組付け構造であって、
前記生物玩具の体格片パーツの第二切欠き部は、下端から上端に向かって、拡開した形状とし、前記支持体パーツに差込み支持した状態で、前記体格片パーツが、この支持体パーツに、確実に挾持された状態が確保される構成とした生物玩具の組付け構造である。
【００１５】
請求項４は、請求項１に記載の生物玩具の組付け構造であって、
前記生物玩具の支持体パーツの第一切欠き部の一辺側の下部に、突起を形成し、この突起には、前記第一切欠き部に差込まれた体格片パーツの下端が添接される構成とした生物玩具の組付け構造である。
【００１６】
請求項５の発明は、請求項１に記載した意図を達成しつつ、かつこの意図を達成するに最適な、擬似ねずみの構造を提供する。
【００１７】
請求項５は、請求項１に記載の生物玩具の組付け構造であって、
前記生物玩具が擬似ねずみであって、この複数の体格片パーツの第三差込み側には、上端から中間部位に向かって、不均等な深さの第三切欠き部を形成し、この第三切欠き部に、この生物玩具の耳パーツを差込み形成する構成とした生物玩具の組付け構造である。
【００１８】
請求項６の発明は、請求項１に記載した意図を達成しつつ、かつこの意図を達成するに最適な、擬似ねずみの構造を提供する。
【００１９】
請求項６は、請求項１に記載の生物玩具の組付け構造であって、
前記生物玩具が擬似猪であって、この複数の体格片パーツの第四差込み側には、上端から中間部位に向かって、不均等な深さの第四切欠き部を形成し、この第四切欠き部に、この生物玩具の牙パーツ、又は足パーツを差込み形成する構成とした生物玩具の組付け構造である。
【００２０】
請求項７の発明は、請求項１に記載した意図を達成しつつ、かつこの意図を達成するに最適な、擬似キリンの構造を提供する。
【００２１】
請求項７は、請求項１に記載の生物玩具の組付け構造であって、
前記生物玩具が擬似キリンであって、この複数の体格片パーツの第四差込み側には、上端から中間部位に向かって、不均等な深さの第四切欠き部を形成し、この第四切欠き部に、この生物玩具の足パーツを差込み形成し、また、この複数の体格片パーツの第五差込み側には、上端から中間部位に向かって、不均等な深さの第五切欠き部を形成し、この第五切欠き部に、この生物玩具の耳パーツを差込み形成する構成とした生物玩具の組付け構造である。
【００２２】
請求項８の発明は、請求項１に記載した意図を達成しつつ、かつこの意図を達成するに最適な、擬似バッタの構造を提供する。
【００２３】
請求項８は、請求項１に記載の生物玩具の組付け構造であって、
前記生物玩具が擬似バッタであって、この複数の体格片パーツの第六差込み側には、中間側面から内部に向かって、不均等な深さの第六切欠き部を形成し、この第六切欠き部に、この生物玩具の足パーツを差込み形成する構成とした生物玩具の組付け構造である。
【発明の効果】
【００２４】
請求項１の発明は、鋼材等の板素材を加工して形成する生物玩具であり、生物玩具の骨格は、長手方向の支持体パーツで、また生物玩具の体格は、短手方向の体格片パーツで、それぞれ構成し、
支持体パーツの第一差込み側には、上端から中間部位に向かって、略同じ深さの複数個の第一切欠き部を形成し、また体格片パーツの第二差込み側には、下端から上端に向かって、不均等な深さの複数個の第二切欠き部を形成し、
各第一切欠き部に対して、各第二切欠き部を、それぞれ差込み支持し、体格片パーツで、生物玩具の胴体の膨らみを表現する生物玩具の組付け構造である。
【００２５】
従って、請求項１は、本発明の意図する前記「１」〜「４」を達成できる特徴がある。
【００２６】
請求項２の発明は、請求項１に記載の生物玩具の組付け構造であって、
生物玩具の支持体パーツの第一切欠き部が、生物玩具の頭部位から尻部位に向かって、略均等な間隔を保持することで、胴体の膨らみを、写実的に表現する生物玩具の組付け構造である。
【００２７】
従って、請求項２は、請求項１に記載した意図を達成でき、かつこの意図を達成するに最適な、支持体パーツの第一切欠き部の構造を提供できる特徴がある。
【００２８】
請求項３の発明は、請求項１に記載の生物玩具の組付け構造であって、
生物玩具の体格片パーツの第二切欠き部の形状を、下端から上端に向かって拡開し、支持体パーツに差込み支持した状態で、支持体パーツに、確実に挾持された状態が確保される生物玩具の組付け構造である。
【００２９】
請求項４の発明は、請求項１に記載の生物玩具の組付け構造であって、
生物玩具の支持体パーツの第一切欠き部の一辺側の下部に形成した突起に、第一切欠き部に差込まれた体格片パーツの下端が添接される生物玩具の組付け構造である。
【００３０】
従って、請求項３・４は、本発明の意図する前記「１」〜「５」を達成できる特徴がある。
【００３１】
請求項５の発明は、請求項１に記載の生物玩具の組付け構造であって、
生物玩具が擬似ねずみであり、複数個の体格片パーツの第三差込み側に、上端から中間部位に向かって、不均等な深さの第三切欠き部を形成し、第三切欠き部には、生物玩具の耳パーツを差込み形成する生物玩具の組付け構造である。
【００３２】
従って、請求項５は、請求項１に記載した意図を達成でき、かつこの意図を達成するに最適な、擬似ねずみの構造を提供できる特徴がある。
【００３３】
請求項６は、請求項１に記載の生物玩具の組付け構造であって、
前記生物玩具が擬似猪であり、複数の体格片パーツの第四差込み側に、上端から中間部位に向かって、不均等な深さの第四切欠き部を形成し、第四切欠き部には、生物玩具の牙パーツ、又は足パーツを差込み形成する生物玩具の組付け構造である。
【００３４】
従って、請求項６は、請求項１に記載した意図を達成でき、かつこの意図を達成するに最適な、擬似ねずみの構造を提供できる特徴がある。
【００３５】
請求項７の発明は、請求項１に記載の生物玩具の組付け構造であって、
生物玩具が擬似キリンであり、複数の体格片パーツの第四差込み側に、上端から中間部位に向かって、不均等な深さの第四切欠き部を形成し、第四切欠き部には、生物玩具の足パーツを差込み形成し、また、複数の体格片パーツの第五差込み側に、上端から中間部位に向かって、不均等な深さの第五切欠き部を形成し、第五切欠き部には、生物玩具の耳パーツを差込み形成する生物玩具の組付け構造である。
【００３６】
従って、請求項７は、請求項１に記載した意図を達成でき、かつこの意図を達成するに最適な、擬似キリンの構造を提供できる特徴がある。
【００３７】
請求項８の発明は、請求項１に記載の生物玩具の組付け構造であって、
生物玩具が擬似バッタであり、複数の体格片パーツの第六差込み側に、中間側面から内部に向かって、不均等な深さの第六切欠き部を形成し、第六切欠き部には、生物玩具の足パーツを差込み形成する構成とした生物玩具の組付け構造である。
【００３８】
従って、請求項８は、請求項１に記載した意図を達成でき、かつこの意図を達成するに最適な、擬似バッタの構造を提供できる特徴がある。
【図面の簡単な説明】
【００３９】
【図１】擬似ねずみの一例の組付け状態の斜視図
【図２】図１の分解斜視図
【図３】擬似猪の組付け状態の斜視図
【図４】図３の分解斜視図
【図５】擬似キリンの組付け状態の斜視図
【図６】擬似バッタの組付け状態の斜視図
【図７】擬似人間の組付け状態の斜視図
【図８】図１の他の一例を示した一部を取外した斜視図
【図９】図１のさらに他の一例を示した一部を取外した斜視図
【図１０】図９の分解斜視図
【発明を実施するための形態】
【００４０】
本発明の一例を説明する。
【００４１】
図面の説明をすると、図１は擬似ねずみの一例の組付け状態の斜視図、図２は図１の分解斜視図、図３は擬似猪の組付け状態の斜視図、図４は図３の分解斜視図、図５は擬似キリンの組付け状態の斜視図、図６は擬似バッタの組付け状態の斜視図、図７は擬似人間の組付け状態の斜視図、図８は図１の他の一例を示した一部を取外した斜視図、図９は図１のさらに他の一例を示した一部を取外した斜視図、図１０は図９の分解斜視図、である。
【００４２】
以下、各擬似生物玩具に関して、それぞれ個別に説明するが、この説明は、生物玩具（置物、又はモニュメント等の造形物）の好ましい一例である。
【００４３】
図１と、図２において、１は鋼材、板材、又はプラスチック等の硬質性の板素材（図示しない）を、レーザー加工（加工とする）して形成する擬似ねずみで、この擬似ねずみ１（生物玩具）は、その骨格１００は、板素材を加工した擬似ねずみ１の長手方向Ｘの外形を形成する（表現する）支持体パーツ２で構成し、またこの擬似ねずみ１の体格１０１は、板素材を加工した短手方向Ｙの肉厚（肉付き、膨らみ）を形成する体格片パーツ３を、複数個、かつ略均等な間隔で設けることで構成する。
【００４４】
そして、この支持体パーツ２の長手方向Ｘの第一差込み側Ｘ１には、上端２ａから中間部位２ｂに向かって、略同じ深さの複数個の第一切欠き部５を形成する。また、この体格片パーツ３の短手方向Ｙの第二差込み側Ｙ１には、下端３ａから上端３ｂに向かって、不均等な深さ（異なった深さ）の複数個の第二切欠き部６を形成する。そして、この体格片パーツ３は、前記第一切欠き部５の数だけ、必要とする。また、この体格片パーツ３は、図示の如く、短手方向Ｙの方向より見て、擬似ねずみ１の肉厚に対応し、この一例では、頭側から、頸を経由し、胴体、並びに尻に亙って、所定の面積比（本物のねずみの肉厚に添った面積比）となっており、写実性を確保する。尚、この略同じ深さの複数個の第一切欠き部５に、不均等な深さの複数個の第二切欠き部６を差込み支持することで、この複数個の体格片パーツ３で、この擬似ねずみ１が、本物のねずみを表現できる（他の例も同じであり、省略する）。
【００４５】
この擬似ねずみ１の組付けは、例えば、支持体パーツ２の複数個の第一切欠き部５に対して、複数個の体格片パーツ３の第二切欠き部６を、順次、差込み、この第二切欠き部６を、支持体パーツ２の下端２ｃから中間部位２ｂの板部位２００に、挾持するとともに、この第一切欠き部５には、体格片パーツ３の板部位３００が差込み支持される（固定、又は保持される）。以上の作業を順次繰り返すことで、擬似ねずみ１の全体像が成形される。その後は、擬似ねずみ１として必要となる尻尾パーツ７を、支持体パーツ２の孔２０１に差込み、又は引抜き自在に設け、かつこの尻尾パーツ７の自由端が設置面に添接可能とし、本物の尻尾の感覚を演出する。また、複数枚の体格片パーツ３の上端３ｂの第三差込み側Ｙ２には、複数個の不均等な深さ第三切欠き部８を対で設け、この左右の複数個の第三切欠き部８に、耳パーツ９の端部９ａを差込み支持する。このような擬似ねずみ１の組付け手順は、一例であり、この例に限定されないが、最適な方法である。そして、組付けた擬似ねずみ１の分解（解体）は、前述の逆の操作によるが、一例であり、各人の操作による。図中１０は口パーツを示しており、この口パーツ１０の下端１０ａには、第二切欠き部６を有する。そして、この口パーツ１０の第二切欠き部６は、支持体パーツ２の第一切欠き部５に、前述と同様であって、この第二切欠き部６を、支持体パーツ２の板部位２００に、挾持するとともに、この第一切欠き部５には、口パーツ１０の下端１０ａの板部位１０００が差込み支持される。
【００４６】
図３と、図４において、１−１は鋼材、板材、又はプラスチック等の硬質性の板素材（図示しない）を、加工して形成する擬似猪で、この擬似猪１−１（生物玩具）は、その骨格１００−１は、板素材を加工した擬似猪１−１の長手方向Ｘの外形を形成する（表現する）支持体パーツ２−１で構成し、またこの擬似猪１−１の体格１０１−１は、板素材を加工した短手方向Ｙの肉厚（肉付き、膨らみ）を形成する体格片パーツ３−１を、複数個、かつ略均等な間隔で設けることで構成する。
【００４７】
そして、この支持体パーツ２−１の長手方向Ｘの第一差込み側Ｘ１には、上端２−１ａから中間部位２−１ｂに向かって、略同じ深さの複数個の第一切欠き部５−１を略均等に形成する。また、この体格片パーツ３−１の短手方向Ｙの第二差込み側Ｙ１には、下端３−１ａから上端３−１ｂに向かって、不均等な深さの複数個の第二切欠き部６−１を形成する。そして、この体格片パーツ３−１は、前記第一切欠き部５−１の数だけ、必要とする。また、この体格片パーツ３−１は、図示の如く、短手方向Ｙの方向より見て、擬似猪１−１の肉厚に対応し、この一例では、頭側から、頸を経由し、胴体、並びに尻に亙って、所定の面積比（本物の猪の肉厚に添った面積比）となっており、前述と同様である。
【００４８】
この擬似猪１−１の組付けは、例えば、支持体パーツ２−１の複数個の第一切欠き部５−１に対して、複数個の体格片パーツ３−１の第二切欠き部６−１を、順次、差込み、この第二切欠き部６−１を、支持体パーツ２−１の下端２−１ｃから中間部位２−１ｂの板部位２００−１に、挾持するとともに、この第一切欠き部５−１には、体格片パーツ３−１の上部の板部位３００−１が差込み支持される。以上の作業を順次繰り返すことで、擬似猪１−１の全体像が成形される。その後は、擬似猪１−１として必要となる足パーツ７−１を組付けるために、複数枚の体格片パーツ２−１の下端３−１ａの第四差込み側Ｚに、この下端３−１ａから上端３−１ｂに向かって、対の略同じ深さの第四切欠き部８−１を形成する。そして、この第四切欠き部８−１に複数個の足パーツ７−１を差込み支持する。また、この体格片パーツ２−１の下端３−１ａの第四差込み側Ｚに設けた対の第四切欠き部８−１には、対の牙パーツ９−１を差込み支持する。このような擬似猪１−１の組付け手順は、一例であり、この例に限定されないが、最適な方法である。そして、組付けた擬似猪１−１の分解（解体）は、前述の逆の操作によるが、一例であり、各人の操作による。図中１０−１は口パーツを示しており、この口パーツ１０−１の下端１０−１ａには、第二切欠き部６−１を有する。そして、この口パーツ１０−１の第二切欠き部６−１は、支持体パーツ２−１の第一切欠き部５−１に、前述と同様であって、この第二切欠き部６−１を、支持体パーツ２−１の板部位２００−１に、挾持するとともに、この第一切欠き部５−１には、口パーツ１０−１の上部の板部位１０００−１が差込み支持される。図中１２−１は支持体パーツ２−１に設けた目を示した孔、１３−１は同様に設けた鼻の孔を示している。その他の構造は、前述の各例に準ずる。
【００４９】
図５において、１−２は鋼材、板材、又はプラスチック等の硬質性の板素材（図示しない）を、加工して形成する擬似キリンで、この擬似キリン１−２（生物玩具）は、その骨格１００−２は、板素材を加工した擬似キリン１−２の長手方向Ｘの外形を形成する（表現する）支持体パーツ２−２で構成し、またこの擬似キリン１−２の体格１０１−２は、板素材を加工した短手方向Ｙの肉厚（肉付き、膨らみ）を形成する体格片パーツ３−２を、複数個、かつ略均等な間隔で設けることで構成する。
【００５０】
そして、この支持体パーツ２−２の長手方向Ｘの第一差込み側Ｘ１には、上端２−２ａから下端２−２ｃか、又は前側２−２ｄから中間部位２−２ｅか、或いは下端２−２ｃから中間部位２−２ｂに向かって、略同じ深さの複数個の第一切欠き部５−２を略均等に形成する。また、この体格片パーツ３−２の短手方向Ｙの第二差込み側Ｙ１には、下端３−２ａから上端３−２ｂか、又は後側３−２ｃから中間部位３−２ｄか、或いは上端３−２ｂから中間部位３−２ｅに向かって、不均等な深さの複数個の第二切欠き部６−２を形成する。そして、この体格片パーツ３−２は、前記第一切欠き部５−２の数だけ、必要とする。また、この体格片パーツ３−２は、図示の如く、短手方向Ｙの方向より見て、擬似キリン１−２の肉厚に対応し、頭側から、頸を経由し、胴体、並びに尻に亙って、所定の面積比（本物のキリンの肉厚に添った面積比）となっており、前述と同様である。
【００５１】
この擬似キリン１−２の組付けは、例えば、支持体パーツ２−２の複数個の第一切欠き部５−２に対して、複数個の体格片パーツ３−２の第二切欠き部６−２を、順次、差込み、この第二切欠き部６−２を、支持体パーツ２−２の下端２−２ｃから中間部位２−２ｂの板部位２００−２に、挾持するとともに、この第一切欠き部５−２には、体格片パーツ３−２の上部の板部位３００−２が差込み支持される。以上の作業を順次繰り返すことで、擬似キリン１−２の全体像が成形される。その後は、擬似キリン１−２として必要となる足パーツ７−２を組付けるために、複数枚の体格片パーツ２−２の下端３−２ａの第五差込み側Ｚ１に、この下端３−２ａから上端３−２ｂに向かって、対の略同じ深さの第五切欠き部８−２を形成する。そして、この第五切欠き部８−２に複数個の足パーツ７−２を差込み支持する。また、この擬似キリン１−２として必要となる耳パーツ９−２の略同じ深さの切欠き部（符合付さず）を、体格片パーツ３−２の上端３−２ｂに差込み、又は引抜き自在に設け、図示しない本物のキリンとの相似性を確保する（他の実施例も同じ）。さらに、この擬似キリン１−２として必要となる尻尾パーツ１０−２の略同じ深さの切欠き部（符合付さず）を、支持体パーツ２−２の孔（図示しない）に差込み、又は引抜き自在に設け、かつこの尻尾パーツ１０−２の自由端が設置面に添接しない構造とし、本物のキリンの尻尾の感覚を演出する。また、１１−２は角パーツであり、角パーツ１１−２及び／又は支持体パーツ２−２に、他の実施例と同様に、切欠き部（図示しない）を設けて、差込み、又は引抜き自在に組付けることも可能である。このような擬似キリン１−２の組付け手順は、一例であり、この例に限定されないが、最適な方法である。そして、組付けた擬似キリン１−２の分解（解体）は、前述の逆の操作によるが、一例であり、各人の操作による。そして、図示しないが、その他の構造は、前述の各例に準ずる。
【００５２】
図６において、１−３は鋼材、板材、又はプラスチック等の硬質性の板素材（図示しない）を、加工して形成する擬似バッタで、この擬似バッタ１−３（生物玩具）は、その骨格１００−３は、板素材を加工した擬似バッタ１−３の長手方向Ｘの外形を形成する（表現する）支持体パーツ２−３で構成し、またこの擬似バッタ１−３の体格１０１−３は、板素材を加工した短手方向Ｙの肉厚（肉付き、膨らみ）を形成する体格片パーツ３−３を、複数個、かつ略均等な間隔で設けることで構成する。
【００５３】
そして、この支持体パーツ２−３の長手方向Ｘの第一差込み側Ｘ１には、上端２−３ａから中間部位２−３ｂに向かって、略同じ深さの複数個の第一切欠き部５−３を略均等に形成する。また、この体格片パーツ３−３の短手方向Ｙの第二差込み側Ｙ１には、下端３−３ａから上端３−３ｂに向かって、不均等な深さの複数個の第二切欠き部６−３を形成する。そして、この体格片パーツ３−３は、前記第一切欠き部５−３の数だけ、必要とする。また、この体格片パーツ３−３は、図示の如く、短手方向Ｙの方向より見て、擬似バッタ１−３の肉厚に対応し、この一例では、頭側から、頸を経由し、胴体、並びに尻に亙って、所定の面積比（本物のバッタの肉厚に添った面積比）となっており、前述と同様である。
【００５４】
この擬似バッタ１−３の組付けは、例えば、支持体パーツ２−３の複数個の第一切欠き部５−３に対して、複数個の体格片パーツ３−３の第二切欠き部６−３を、順次、差込み、この第二切欠き部６−３を、支持体パーツ２−３の下端２−３ｃから中間部位２−３ｂの板部位２００−３に、挾持するとともに、この第一切欠き部５−３には、体格片パーツ３−３の上部の板部位３００−３が差込み支持される。以上の作業を順次繰り返すことで、擬似バッタ１−３の全体像が成形される。その後は、擬似バッタ１−３として必要となる足パーツ７−３を組付けるために、複数枚の体格片パーツ−３の中間部位３−３ｃの第六差込み側Ｚ２に、この下端３−３ａから上端３−３ｂに向かって、対の第六切欠き部８−３を形成する。そして、この第六切欠き部８−３に複数個の略同じ深さの足パーツ７−３を差込み支持する。また、触角パーツ９−３及び／又は支持体パーツ２−３の上端２−３ａの板部材２００−３に、他の実施例と同様に、切欠き部（図示しない）を設け、触角パーツ９−３を差込み支持して、差込み、又は引抜き自在に組付けることも可能である。このような擬似バッタ１−３の組付け手順は、一例であり、この例に限定されないが、最適な方法である。そして、組付けた擬似バッタ１−３の分解（解体）は、前述の逆の操作によるが、一例であり、各人の操作による。図中１２−３は支持体パーツ２−３に設けた孔で、目を示している。尚、その他の構造は、前述の例に準ずる。
【００５５】
図７において、１−４は鋼材、板材、又はプラスチック等の硬質性の板素材（図示しない）を、加工して形成する擬似人間で、この擬似人間１−４（生物玩具）は、その骨格１００−４は、板素材を加工した擬似人間１−４の身長方向Ｑの外形を形成する（表現する）支持体パーツ２−４で構成し、またこの擬似人間１−４の体格１０１−４は、板素材を加工した肉付きＰ（胴体の肉付き、顔面）を形成する体格片パーツ３−４を、複数個、かつ略均等な間隔で設けることで構成する。尚、この一例では、頭側から、顔面を経由し、胴体、並びに尻に亙って、所定の面積比（本物の人間の肉厚に添った面積比）となっており、前述と同様である。尚、足パーツ７−４に自立片（符号付さず）を設けて、自立させている。
【００５６】
そして、この一例では、前記支持体パーツ２−４に、その身長方向Ｑ（顔面と胴体とする。一例である）に差込み用の第一切欠き部５−４を略同じ深さで複数個開設する。そして、この各第一切欠き部５−４には、体格１０１−４を構成する数枚の体格片パーツ３−４の差込み先端部（図示せず）を差込み支持することで、前記肉付きＰを構成し、擬似人間１−４としての実感を表現する。また、この一例では、数枚の体格片パーツ３−４を支持するために、補助片パーツ３−４００を身長方向Ｑに組付け構成する。この補助パーツ３−４００は、支持体パーツ２−４の中央部位に差込み支持される。尚、支持体パーツ２−４の肩部２−４ａには、腕パーツ１５の複数個の略同じ深さの第七切欠き部１５−１を差込み支持するとともに、その腰部２−４ｂには、足パーツ７−４の複数個の略同じ深さの第八切欠き部１５−２を差込み支持する構造である。この組付けは一例であり限定されないが、最適な方法である。そして、組付けた擬似人間１−４の分解（解体）は、前述の逆の操作によるが、一例であり、各人の操作による。尚、その他の構造は、前述の例に準ずる。
【００５７】
図８は図１の他の一例を示した一部を取外した斜視図であり、体格片パーツ３を変更した一例であって、第二切欠き部６の溝の形態を工夫した例である。即ち、下端３ａから上端３ｂに向かって、拡開した形状とし、支持体パーツ２への支持を強固とした構造である。そして、図示しないが、他の支持体パーツ２にも同様な構造とする。また、図９と図１０は、図１のさらに他の一例を示した一部を取外した斜視図であり、支持体パーツ２の各第一切欠き部５の一辺側５ａの下部に突起１６を、それぞれ設けた構造であり、この突起１６には、体格片パーツ３の下端３ａの一面が添接支持される。これによって、体格片パーツ３の支持体パーツ２への支持を強固とする。尚、その他の構造は、前述の例に準ずる。
【符号の説明】
【００５８】
１                擬似ねずみ
１００            骨格
１０１            体格
２                支持体パーツ
２００            板部位
２ａ              上端
２ｂ              中間部位
２ｃ              下端
２０１            孔
３                体格片パーツ
３００            板部位
３ａ              下端
３ｂ              上端
５                第一切欠き部
５ａ              一辺側
６                第二切欠き部
７                尻尾パーツ
８                第三切欠き部
９                耳パーツ
９ａ              端部
１０              口パーツ
１０ａ            下端
１０００          板部材
１−１            擬似猪
１００−１        骨格
１０１−１        体格
２−１            支持体パーツ
２００−１        板部位
２−１ａ          上端
２−１ｂ          中間部位
２−１ｃ          下端
３−１            体格片パーツ
３００−１        板部位
３−１ａ          下端
３−１ｂ          上端
５−１            第一切欠き部
６−１            第二切欠き部
７−１            足パーツ
８−１            第四切欠き部
９−１            牙パーツ
１０−１          口パーツ
１０−１ａ        下端
１０００−１      板部材
１２−１          孔
１３−１          孔
１−２            擬似キリン
１００−２        骨格
１０１−２        体格
２−２            支持体パーツ
２００−２        板部位
２−２ａ          上端
２−２ｂ          中間部位
２−２ｃ          下端
２−２ｄ          前側
２−２ｅ          中間部位
３−２            体格片パーツ
３００−２        板部位
３−２ａ          下端
３−２ｂ          上端
３−２ｃ          後側
３−２ｄ          中間部位
２−２ｅ          中間部位
５−２            第一切欠き部
６−２            第二切欠き部
７−２            足パーツ
８−２            第五切欠き部
９−２            耳パーツ
１０−２          尻尾パーツ
１１−２          角パーツ
１−３            擬似バッタ
１００−３        骨格
１０１−３        体格
２−３            支持体パーツ
２００−３        板部位
２−３ａ          上端
２−３ｂ          中間部位
２−３ｃ          下端
３−３            体格片パーツ
３００−３        板部位
３−３ａ          下端
３−３ｂ          上端
３−３ｃ          中間部位
５−３            第一切欠き部
６−３            第二切欠き部
７−３            足パーツ
８−３            第六切欠き部
９−３            触角パーツ
１２−３          孔
１−４            擬似人間
１００−４        骨格
１０１−４        体格
２−４            支持体パーツ
２−４ａ          肩部
２−４ｂ          腰部
３−４            体格片パーツ
３−４００        補助片パーツ
５−４            第一切欠き部
７−４            足パーツ
１５              腕パーツ
１５−１          第七切欠き部
１５−２          第八切欠き部
１６              突起
Ｘ                長手方向
Ｘ１              第一差込み側
Ｙ                短手方向
Ｙ１              第二差込み側
Ｙ２              第三差込み側
Ｚ                第四差込み側
Ｚ１              第五差込み側
Ｚ２              第六差込み側
Ｑ                身長方向
Ｐ                肉付き
【図１】
2010162079.tif 000003
【図２】
2010162079.tif 000004
【図３】
2010162079.tif 000005
【図４】
2010162079.tif 000006
【図５】
2010162079.tif 000007
【図６】
2010162079.tif 000008
【図７】
2010162079.tif 000009
【図８】
2010162079.tif 000010
【図９】
2010162079.tif 000011
【図１０】
2010162079.tif 000012